(57)【特許請求の範囲】
【請求項１】
筐体と、
前記筐体の上部に設けられる天板と、
前記筐体内に取り付けられるグリル庫と、
前記グリル庫の上壁部に設けられ、前記グリル庫内を上方向から加熱するグリルバーナと、
前記天板と前記グリル庫の間において、前記グリル庫の上側を覆うように設けられる遮熱板と
を備えたコンロにおいて、
前記遮熱板は、
前記上壁部の上面に当接する当接部材を備え、
前記当接部材は、
前記遮熱板の上面に配置される板状の本体部と、
前記本体部に設けられ、前記遮熱板に対して上方向からネジ止め固定される固定部と、
前記本体部における前記固定部とは離間する位置に設けられ、下方向に延び、且つ前記遮熱板に設けられた第一開口部を上下方向に挿通する挿通部と、
前記挿通部の下端部に設けられ、前記上壁部の上面に当接する当接部と
を備えたこと
を特徴とするコンロ。
【請求項２】
前記当接部材は、
前記本体部において、前記当接部が設けられた位置に対して、前記固定部とは反対側の位置から下方向に延び、前記遮熱板に設けられた第二開口部に上方から隙間を介して遊挿される遊挿部と、
前記遊挿部の下端部に設けられ、前記当接部が上方に押し上げられた場合に、前記遮熱板の下面に係止可能な爪部と
を備えたこと
を特徴とする請求項１に記載のコンロ。
【請求項３】
前記当接部は、
前記上壁部の上面のうち前側部分に当接すること
を特徴とする請求項１又は２に記載のコンロ。
【請求項４】
前記グリルバーナは、
前記上壁部の下面において、該下面の中央部を取り囲むように形成され、火炎を下方向に向けて形成する複数の炎孔を備える炎孔部と、
前記上壁部における前記炎孔部の後方に設けられ、ガスと空気が混合した混合ガスを前記炎孔部側に向けて前方に噴出する噴出部と、
前記炎孔部の上側に設けられ、前記噴出部から噴出する前記混合ガスを前記炎孔部に供給する供給路を形成する供給部と、
前記上壁部の上面のうち前記中央部に対応する部分に設けられ、前記供給路の上下方向の流路面積が狭くなるように凹状に窪んで形成された絞り部と
を備え、
前記当接部は、前記上壁部の上面において、前記噴出部に対して前記絞り部を挟んだ反対側の位置である前側部分に当接すること
を特徴とする請求項１から３の何れかに記載のコンロ。
【請求項５】
前記上壁部の上面における前記前側部分には、前記絞り部に対して平面視凸状に陥入することによって、当該陥入する方向に直交する幅方向の両側において前記絞り部に取り囲まれた陥入部が設けられ、
前記当接部は、前記陥入部に当接すること
を特徴とする請求項４に記載のコンロ。
【請求項６】
前記当接部材は、表面がコーティングされた板金を加工してなる板金加工品であって、
前記当接部は、平面視左右方向に延びる矩形板状に形成され、
前記当接部の長さ方向の中央部は前記陥入部に当接し、
前記当接部の前記長さ方向の両端部の夫々の端面は、前記陥入部を前記幅方向の両側において取り囲む前記絞り部の内側に配置されていること
を特徴とする請求項５に記載のコンロ。
【請求項７】
前記当接部は、下方向に突出する突出部を備え、
前記突出部が前記上壁部の上面と点接触で当接すること
を特徴とする請求項１から６の何れかに記載のコンロ。
【発明の詳細な説明】
【技術分野】
【０００１】
本発明は、コンロに関する。
【背景技術】
【０００２】
従来、筺体内にグリル庫を設けたコンロが提供されている（例えば、特許文献１参照）。グリル庫は、被調理物を収納するユニット本体部と、該ユニット本体部の上部に固定されるグリルフードを備える。グリルフードはグリルバーナを備える。グリルバーナは、グリル庫内に収納された被調理物を上側から加熱調理する。グリルバーナは、管状のスロート部と、該スロート部の下流側に設けられるガス供給部と、複数の炎孔からなる炎孔部とを備える。スロート部の上流側の端部は、ガス噴出用のノズルと対向する。スロート部は、ノズルから噴出されるガスと、該ガスの噴出により引き込まれる燃焼用二次空気を管内で混合し、ガス供給部に供給する。ガス供給部は、グリルフードの下面に設けられた炎孔部にガスを供給する。炎孔部の近傍には、点火スパークを発生させる点火電極等が付設されている。それ故、ガス供給部から炎孔部に供給されたガスは、各炎孔において燃焼して火炎を形成する。
【先行技術文献】
【特許文献】
【０００３】
【特許文献１】特開２０１４−５４４６６号公報
【発明の概要】
【発明が解決しようとする課題】
【０００４】
上記構成を備えるグリルバーナでは、ガス燃焼時において、気温によっては、ガス等の流通に伴い、各炎孔において火炎が揺らいで振動を生じることがあり、それに起因してグリルバーナから共鳴音（響き音）が発生する可能性があった。
【０００５】
本発明の目的は、グリルバーナにおける燃焼時において、共鳴音が発生するのを防止できるコンロを提供することである。
【課題を解決するための手段】
【０００６】
請求項１に係る発明のコンロは、筐体と、前記筐体の上部に設けられる天板と、前記筐体内に取り付けられるグリル庫と、前記グリル庫の上壁部に設けられ、前記グリル庫内を上方向から加熱するグリルバーナと、前記天板と前記グリル庫の間において、前記グリル庫の上側を覆うように設けられる遮熱板とを備えたコンロにおいて、前記遮熱板は、前記上壁部の上面に当接する当接部材を備え、前記当接部材は、前記遮熱板の上面に配置される板状の本体部と、前記本体部に設けられ、前記遮熱板に対して上方向からネジ止め固定される固定部と、前記本体部における前記固定部とは離間する位置に設けられ、下方向に延び、且つ前記遮熱板に設けられた第一開口部を上下方向に挿通する挿通部と、前記挿通部の下端部に設けられ、前記上壁部の上面に当接する当接部とを備えたことを特徴とする。
【０００７】
請求項２に係る発明のコンロは、請求項１に記載の構成に加え、前記当接部材は、前記本体部において、前記当接部が設けられた位置に対して、前記固定部とは反対側の位置から下方向に延び、前記遮熱板に設けられた第二開口部に上方から隙間を介して遊挿される遊挿部と、前記遊挿部の下端部に設けられ、前記当接部が上方に押し上げられた場合に、前記遮熱板の下面に係止可能な爪部とを備えたことを特徴とする。
【０００８】
請求項３に係る発明のコンロは、請求項１又は２に記載の構成に加え、前記当接部は、前記上壁部の上面のうち前側部分に当接することを特徴とする。
【０００９】
請求項４に係る発明のコンロは、請求項１から３の何れかに記載の構成に加え、前記グリルバーナは、前記上壁部の下面において、該下面の中央部を取り囲むように形成され、火炎を下方向に向けて形成する複数の炎孔を備える炎孔部と、前記上壁部における前記炎孔部の後方に設けられ、ガスと空気が混合した混合ガスを前記炎孔部側に向けて前方に噴出する噴出部と、前記炎孔部の上側に設けられ、前記噴出部から噴出する前記混合ガスを前記炎孔部に供給する供給路を形成する供給部と、前記上壁部の上面のうち前記中央部に対応する部分に設けられ、前記供給路の上下方向の流路面積が狭くなるように凹状に窪んで形成された絞り部とを備え、前記当接部は、前記上壁部の上面において、前記噴出部に対して前記絞り部を挟んだ反対側の位置である前側部分に当接することを特徴とする。
【００１０】
請求項５に係る発明のコンロは、請求項４に記載の構成に加え、前記上壁部の上面における前記前側部分には、前記絞り部に対して平面視凸状に陥入することによって、当該陥入する方向に直交する幅方向の両側において前記絞り部に取り囲まれた陥入部が設けられ、前記当接部は、前記陥入部に当接することを特徴とする。
【００１１】
請求項６に係る発明のコンロは、請求項５に記載の構成に加え、前記当接部材は、表面がコーティングされた板金を加工してなる板金加工品であって、前記当接部は、平面視左右方向に延びる矩形板状に形成され、前記当接部の長さ方向の中央部は前記陥入部に当接し  前記当接部の前記長さ方向の両端部の夫々の端面は、前記陥入部を前記幅方向の両側において取り囲む前記絞り部の内側に配置されていることを特徴とする。
【００１２】
請求項７に係る発明のコンロは、請求項１から６の何れかに記載の構成に加え、前記当接部は、下方向に突出する突出部を備え、前記突出部が前記上壁部の上面と点接触で当接することを特徴とする。
【発明の効果】
【００１３】
請求項１に係る発明のコンロでは、グリル庫の燃焼用の二次空気が不足すると、グリルバーナに形成される火炎が揺らぎ、その周囲に振動が生じる。共鳴音はその振動に起因する。当接部材の当接部をグリル庫の上壁部の上面に当接させることによって、振動の周波数を効果的に分散できる。そして、当接部材は遮熱板の上側から固定されるので、当接部材の位置調整、交換等が非常に容易である。また、当接部材は固定部のみで固定されているので、挿通部と当接部はフリーな状態となっている。これにより、遮熱板の組み付けの際、挿通部、当接部、及び本体部の一部を上方向に逃すことができるので、強い力で遮熱板を抑える必要が無くなる。よって、本発明はコンロの生産性を向上できる。
【００１４】
請求項２に係る発明のコンロでは、請求項１に記載の効果に加え、本体部の遊挿部に設けられた爪部は、遮熱板の第二開口部に差し込むように構成されているので、当接部材を遮熱板に先組みしても、遮熱板をグリル庫の上側に取り付ける際に、当接部材が遮熱板の取付位置から外れることが無い。よって、本発明は生産性を向上できる。
【００１５】
請求項３に係る発明のコンロでは、請求項１又は２に記載の効果に加え、グリルバーナの点火初期、グリルバーナのうち特に前側部分ではドラフト力が起きにくいことから、炎孔部において二次空気が不足し、火炎が揺らいで振動を生じ易い。そのような前側部分に対し、当接部材の当接部を当接させることによって、振動の周波数を効果的に分散できる。
【００１６】
請求項４に係る発明のコンロでは、請求項１から３の何れかに記載の効果に加え、振動の周波数を当接部材及び遮熱板によって効果的に分散できる。
【００１７】
請求項５に係る発明のコンロでは、請求項４に記載の効果に加え、当接部を陥入部に当接させることによって、振動の周波数を当接部材及び遮熱板によって効果的に分散できる。
【００１８】
請求項６に係る発明のコンロでは、請求項５に記載の効果に加え、当接部が平面視左右方向に延びる矩形板状であっても、グリル庫の上壁部の陥入部に当接させることができる。また、当接部の陥入部に当接する下面はコーティングされているので、陥入部の腐食を防止できる。当接部材は板金加工品であるので、当接部の両端部の夫々の端面が切断端面である場合がある。本発明では、当接部の両端部の夫々の端面は、陥入部を両側から取り囲む絞り部の内側に配置されているので、上壁部の上面とは接触しない。よって、当接部の両端部の夫々の端面が切断端面であっても、上壁部の上面とは接触しないので、上壁部の上面の腐食を防止できる。
【００１９】
請求項７に係る発明のコンロでは、請求項１から６の何れかに記載の効果に加え、当接部に設けられた突出部が上壁部の上面と点接触する。これにより、仮に遮熱板に対する当接部材の組み付けがずれた場合では、面接触に比べて、当接部を上壁部の上面に確実に接触させることができる。
【００２０】
なお、本発明は、請求項１から７に記載された発明特定事項の一部を任意に組み合わせてもよい。
【図面の簡単な説明】
【００２１】
【図１】コンロ１の斜視図である。
【図２】コンロ１の縦断面図である。
【図３】天板を省略したコンロ１の斜視図である。
【図４】グリルユニット４０の分解斜視図である。
【図５】グリルフード６０の平面図である。
【図６】遮熱板７０の平面図である。
【図７】振動防止部材４１の右斜め上方から見た斜視図である。
【図８】振動防止部材４１の右斜め下方から見た斜視図である。
【図９】図６に示すＩ−Ｉ線矢視方向断面図である。
【図１０】図６に示すＩＩ−ＩＩ線矢視方向断面図である。
【図１１】グリルユニット４０における遮熱板７０周囲の拡大断面図である。
【発明を実施するための形態】
【００２２】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
図１〜図３を参照し、コンロ１の外観構造を説明する。図１，図２に示すように、コンロ１は、グリル付きテーブルコンロである。コンロ１は、筐体２と天板３を備える。筐体２は、上部が開口する略直方体状に形成されている。天板３は、筐体２の開口する上部にネジ（図示略）で固定されている。天板３の右側には、バーナ開口部２０１が設けられ、左側には、バーナ開口部２０２が設けられている。それらバーナ開口部２０１，２０２の夫々の内側を上下に挿通するように、右コンロバーナ５と左コンロバーナ６が設けられている。天板３の後端側には、排気口部９（図２参照）が設けられている。排気口部９は、筐体２内に設置されたグリル庫５００（図２参照）内のガス燃焼によって生じた燃焼ガスを外部に排出する。排気口部９には、複数のスリット１９１を備える安全カバー１９０が上側から装着されている。
【００２４】
図３に示すように、筐体２は、筐体本体部２０、前板部２４の二つの板金部材を互いに組み付け、ネジ（図示略）で固定することで構成されている。筐体本体部２０は、前側が開口する平面視略Ｕ字形状に形成されている。筐体本体部２０は、右側板部２１、左側板部２２、後板部２３を備える。後板部２３は、右側板部２１及び左側板部２２の夫々の後端部同士を繋いでいる。そのような筐体本体部２０の開口する前側に、前板部２４がネジ（図示略）で固定されている。
【００２５】
前板部２４の中央部には、開口部２５（図２参照）が設けられている。その開口部２５の左右両縁部の夫々の上部には、後方に突出する左右一対の係止爪（図示略）が設けられている。これら一対の係止爪には、後述するユニット本体部５０の右側面部５１３及び左側面部５２３（図４参照）に設けられたスリット５１３Ａ，５２３Ａが係止される。開口部２５の上縁部における左右両側にも、後方に突出する一対の係止爪（図示略）が設けられている。これら一対の係止爪には、後述するグリルフード６０の上縁部６４に設けられた一対のスリット６４１，６４２（図４参照）が係止される。これにより、前板部２４に対してグリル庫５００の前側部が固定され、開口部２５の後ろ側に、グリル庫５００の前側に設けられたグリル開口５０１（図２参照）が配置される。開口部２５には、グリル扉１０が前後方向に移動可能に設けられている。グリル扉１０の前面には、前方に突出する取手部１０１が設けられている。ユーザが取手部１０１を手前側に引き出すと、グリル扉１０の背面下部に連結した受皿４（図２参照）と焼き網（図示略）を、グリル庫５００内から同時に取り出すことができる。
【００２６】
図１に示すように、前板部２４の前面において、グリル扉１０の右隣には、点火スイッチ１１が設けられ、その右隣には、点火スイッチ１２が設けられている。グリル扉１０の左隣には、点火スイッチ１３が設けられている。点火スイッチ１１〜１３は押し込み式である。点火スイッチ１１を押し込むと、右コンロバーナ５が点火され、再度押し込むと消火される。点火スイッチ１２を押し込むと、グリル庫５００内に設置されたグリルバーナ６５（図２参照）が点火され、再度押し込むと消火される。点火スイッチ１３を押し込むと、左コンロバーナ６が点火され、再度押し込むと消火される。点火スイッチ１３の左隣には、電池ボックス１５が設けられている。電池ボックス１５は、コンロ１に電源を供給する乾電池（図示略）を格納する。なお、点火スイッチ１１〜１３は、押し回し式のツマミ等でもよい。
【００２７】
点火スイッチ１１の上方には、火力調節レバー１１１が設けられている。点火スイッチ１２の上方には、火力調節レバー１２１が設けられている。点火スイッチ１３の上方には、火力調節レバー１３１が設けられている。火力調節レバー１１１は、左右方向の回動操作によって、右コンロバーナ５の火力調節を行う。火力調節レバー１２１は、左右方向の回動操作によって、グリルバーナ６５の火力調節を行う。火力調節レバー１３１は、左右方向における回動操作によって、左コンロバーナ６の火力調節を行う。
【００２８】
図２〜図４を参照し、筐体２の内部構造を説明する。筐体２内の略中央には、グリルユニット４０が設置されている（図２，図３参照）。図２，図４に示すように、グリルユニット４０は、下から順に、ユニット本体部５０、グリルフード６０、遮熱板７０を備える。ユニット本体部５０とグリルフード６０は、グリル庫５００を構成する。ユニット本体部５０は、上面と前面が開口する正面視略Ｕ字状の箱型に形成され、被調理物を加熱する加熱空間を内側に形成する。グリルフード６０は、ユニット本体部５０の開口する上部を塞ぐように、ネジ９１，９２（図４参照）で固定される。グリルフード６０は、グリルバーナ６５を備える。遮熱板７０は、グリルフード６０の上面を上方から覆うことで、グリルバーナ６５から伝わる熱を遮断する。これにより、天板３の温度が過度に上昇するのを防止する。
【００２９】
図３に示すように、遮熱板７０の上面の右端側と、筐体２の右側板部２１の上端部との間には、バーナ取付台２６が略水平に渡設されている。バーナ取付台２６には、右コンロバーナ５が取り付けられている。右コンロバーナ５は、バーナ本体部１５１とスロート部１５２を備える。バーナ本体部１５１は、円環状のバーナキャップ１５４が上部に載置されることで、外周面に複数の炎孔部を形成する。スロート部１５２は管状に形成され、バーナ本体部１５１の外側面の前側下部から前方に延びる。スロート部１５２の前端部には、ガスを流入させる流入口１５３が設けられている。流入口１５３は、後述するガス量調節装置１８のノズル１８Ａに対向する。スロート部１５２は、ノズル１８Ａから噴出されるガスと、該ガスの噴出により周囲から引き込まれる筐体２内の空気を管内で混合し、バーナ本体部１５１に供給する。
【００３０】
他方、遮熱板７０の上面の左端側と、筐体２の左側板部２２の上端部との間には、バーナ取付台２７が略水平に渡設されている。バーナ取付台２７には、左コンロバーナ６が取り付けられている。左コンロバーナ６は、バーナ本体部１６１とスロート部１６２を備える。バーナ本体部１６１は、円環状のバーナキャップ１６４が上部に載置されることで、外周面に複数の炎孔部を形成する。スロート部１６２は管状に形成され、バーナ本体部１６１の外側面の前側下部から前方に延びる。スロート部１６２の前端部には、ガスを流入させる流入口１６３が設けられる。流入口１６３は、後述するガス量調節装置１９のノズル１９Ａと対向する。スロート部１６２は、ノズル１９Ａから噴出されるガスと、該ガスの噴出により周囲から引き込まれる筐体２内の空気を管内で混合し、バーナ本体部１６１に供給する。
【００３１】
前板部２４の背面側において、点火スイッチ１１に対応する位置には、右コンロバーナ５用のガス量調節装置１８が設けられている。点火スイッチ１２に対応する位置には、グリルバーナ６５用のガス量調節装置１６が設けられている。点火スイッチ１３に対応する位置には、左コンロバーナ６用のガス量調節装置１９が設けられている。ガス量調節装置１８のノズル１８Ａは後方に突出し、スロート部１５２の流入口１５３に向けてガスを噴出する。ガス量調節装置１８は火力調節レバー１１１と接続し、火力調節レバー１１１の回動量に応じてノズル１８Ａから噴出するガス量を調節する。ガス量調節装置１９のノズル１９Ａは後方に突出し、スロート部１６２の流入口１６３に向けてガスを噴出する。ガス量調節装置１９は火力調節レバー１３１と接続し、火力調節レバー１３１の回動量に応じてノズル１９Ａから噴出するガス量を調節する。
【００３２】
ガス量調節装置１６のガス出口（図示略）には、ガス配管２８が接続されている。ガス配管２８はガス出口から後方に延び、バーナ取付台２６の下方を潜って上方に折り返し、グリルバーナ６５の後述するスロート部６５１と略同一の高さ位置で左方に屈曲し、左方に延びている。そのガス配管２８のガスが流れる方向の下流側の端部には、ノズル（図示略）が設けられている。ノズルは左方に突出し、スロート部６５１の流入口６５２に向けてガスを噴出する。ガス量調節装置１６は火力調節レバー１２１と接続し、火力調節レバー１２１の回動量に応じてノズルから噴出するガス量を調節する。
【００３３】
図４を参照し、ユニット本体部５０の構造を説明する。ユニット本体部５０は、右壁部５１、左壁部５２、底壁部５３、背壁部５４等を備え、上面と前面が開口する正面視略Ｕ字状の箱型に形成されている。
【００３４】
右壁部５１の略中央には、凹部（図示略）が設けられている。凹部は、左側方に凹状に窪んで形成されている。凹部の内側の上端部近傍には、燃焼用二次空気導入用の３つの空気孔（図示略）が前後方向に並んで設けられている。これら空気孔は前後方向に延びる略直線状のスリットである。そのような右壁部５１を外側から覆うようにして、ダクト部８０が取り付けられている。右側のダクト部８０は、右壁部５１の凹部との間に、燃焼用二次空気を取り入れる為の通路を形成する。
【００３５】
右壁部５１の前端部には、右側面部５１３が設けられている。右側面部５１３は、右壁部５１の前端部から右側方に突出し、面方向が前後方向に向くように配置されている。右側面部５１３の上部には、上下方向に延びるスリット５１３Ａが設けられている。スリット５１３Ａは、前板部２４の開口部２５における右縁部の上部に設けられた係止爪（図示略）に係止される。右壁部５１の上端部には、上面部５１１が設けられている。上面部５１１は、右壁部５１の上端部から右側方に突出し、面方向が上下方向に向くように配置されている。上面部５１１には、上下方向に貫通する固定孔（図示略）が設けられている。
【００３６】
他方、左壁部５２の略中央にも、凹部５２４が設けられている。凹部５２４は、右側方に凹状に窪んで形成されている。凹部５２４の内側の上端部近傍には、燃焼用二次空気導入用の３つの空気孔５２５が前後方向に並んで設けられている。空気孔５２５は前後方向に延びる略直線状のスリットである。そのような左壁部５２を外側から覆うようにして、右壁部５１側と同様に、ダクト部８０が取り付けられる。左側のダクト部８０は、左壁部５２の凹部５２４との間に、燃焼用二次空気を取り入れる為の通路を形成する。
【００３７】
左壁部５２の前端部には、左側面部５２３が設けられている。左側面部５２３は、左壁部５２の前端部から左側方に突出し、面方向が前後方向に向くように配置されている。左側面部５２３の上部には、上下方向に延びるスリット５２３Ａが設けられている。スリット５２３Ａは、前板部２４の開口部２５の左縁部の上部に設けられた係止爪（図示略）に係止される。左壁部５２の上端部には、上面部５２１が設けられている。上面部５２１は、左壁部５２の上端部から左側方に突出し、面方向が上下方向に向くように配置されている。上面部５２１には、上下方向に貫通する固定孔（図示略）が設けられている。
【００３８】
図４，図５を参照し、グリルフード６０の構造を説明する。グリルフード６０は、平面視略矩形の板状に形成されている。グリルフード６０は、フード本体部６１、右縁部６２、左縁部６３、上縁部６４、排気筒６６等を備える。フード本体部６１は、平面視略矩形状に形成されている。フード本体部６１には、後述するグリルバーナ６５が設けられている。
【００３９】
グリルバーナ６５は、スロート部６５１、流入口６５２、噴出部６５３、ガス供給部６５４、炎孔部６５４Ａ〜６５４Ｃ、絞り部６５５等を備える。スロート部６５１は、フード本体部６１の上面の後端側に設けられ、左右方向に延びる管状に形成されている。流入口６５２は、スロート部６５１のガスが流れる方向の上流側である右端部に設けられ、ガス配管２８のノズル（図示略）に対向する。噴出部６５３は、スロート部６５１の下流側である左端部から前方向に屈曲して設けられている。ガス供給部６５４は、フード本体部６１の内部に設けられ、ガスを供給する為の供給路を形成する。ガス供給部６５４の後端部は、噴出部６５３と接続して互いに連通する。
【００４０】
炎孔部６５４Ａ〜６５４Ｃは、フード本体部６１の底面に設けられ、多数の炎孔を有し、底面視後ろ側に向けて開口する略コの字型に配置される。炎孔部６５４Ａは、フード本体部６１の底面の前側にて、左右方向に延びるように設けられている。炎孔部６５４Ｂは、フード本体部６１の底面の右側にて、前後方向に延びるように設けられている。炎孔部６５４Ｃは、フード本体部６１の底面の左側にて、前後方向に延びるように設けられている。炎孔部６５４Ｂと６５４Ｃは、互いに略平行である。炎孔部６５４Ａ〜６５４Ｃを構成する各炎孔は、ガス供給部６５４と連通する。
【００４１】
絞り部６５５は、フード本体部６１の上面の中央部に設けられている。絞り部６５５は、ガス供給部６５４の上下方向におけるガスの流路面積が狭くなるように、下方に凹状に窪んで形成されている。絞り部６５５は、平面視略Ｘ状に形成され、上面の中央部から右斜め前方に延びる右前方部６５５１、中央部から左斜め前方に延びる左前方部６５５２、中央部から右斜め後方に延びる右後方部６５５３、中央部から左斜め後方に延びる左後方部６５５４を備える。なお、絞り部６５５の形状については、Ｘ状に限らず、ガス供給部６５４内におけるガスの流れを考慮し、自由に変更可能である。
【００４２】
上記構造を備えるグリルバーナ６５において、ガス配管２８のノズルから噴出したガスは、流入口６５２からスロート部６５１内に流入する。スロート部６５１内では、ノズルから噴出されたガスと、該ガスの噴出により周囲から引き込まれる空気とが混合される。スロート部６５１内で空気と混合されたガスは、噴出部６５３からガス供給部６５４に向けて噴出される。噴出部６５３から噴出されたガスは、ガス供給部６５４内を流れる。ガス供給部６５４において、絞り部６５５に該当する部分では、ガスの流路面積が狭くなっているので、ガスは絞り部６５５の周囲に沿って流れ易くなっている。これにより、ガスは、炎孔部６５４Ａ〜６５４Ｃから下方に勢いよく噴出するので、良好な火炎を下方に向けて形成できる。
【００４３】
右縁部６２は、フード本体部６１の右端部から右方に向かって略水平に延設され、平面視前後方向に延びる略帯状に形成されている。右縁部６２の前後方向の略中央部には、固定孔６２１が設けられている。右縁部６２は、ユニット本体部５０の右壁部５１の上面部５１１に対し、右側のダクト部８０の固定片部８１を介して配置される。そして、右縁部６２に設けられた固定孔６２１を、上面部５１１に設けられた固定孔（図示略）に位置決めした後で、ネジ９１を上方から締結する。これにより、ユニット本体部５０の右壁部５１の上面部５１１に対し、右縁部６２が固定される。
【００４４】
左縁部６３は、フード本体部６１の左端部から左方に向かって略水平に延設され、平面視前後方向に延びる略帯状に形成されている。左縁部６３の前後方向の略中央部には、固定孔６３１が設けられている。左縁部６３は、ユニット本体部５０の左壁部５２の上面部５２１に対し、左側のダクト部８０の固定片部８１を介して配置される。そして、左縁部６３に設けられた固定孔６３１を、上面部５２１に設けられた固定孔（図示略）に位置決めした後で、ネジ９２を上方から締結する。これにより、ユニット本体部５０の左壁部５２の上面部５２１に対し、左縁部６３が固定される。
【００４５】
左縁部６３の上面の後端側には、熱電対６７と点火電極６８が固定部材６９によって固定されている。熱電対６７は前側、点火電極６８は後側に配置されている（図２参照）。熱電対６７と点火電極６８の夫々の先端部は、グリルバーナ６５の炎孔部６５４Ｃに隣接する位置に突出するように配置されている。点火電極６８は、点火スイッチ１２の押し込み操作に基づいて点火スパークを発生させる。炎孔部６５４Ｃから噴出されるガスに点火されることによって各炎孔に火炎が形成され、火移り現象によって、炎孔部６５４Ａ，６５４Ｃの各炎孔にも火炎が形成される。熱電対６７は、炎孔部６５４Ａにおける失火を検出する。
【００４６】
上縁部６４は、フード本体部６１の前端部から垂直上方に屈曲して設けられ、面方向が前後方向に向く正面視左右方向に延びる略矩形状に形成されている（図４参照）。上縁部６４の右端側の上部には、左右方向に延びるスリット６４１が設けられている。上縁部６４の左端側の上部にも、左右方向に延びるスリット６４２が設けられている。スリット６４１，６４２は、前板部２４の開口部２５の上縁部に設けられた左右一対の係止爪（図示略）に係止される。
【００４７】
排気筒６６は、グリルフード６０の後部に設けられている。排気筒６６は筒状に形成され、下側から上側に向けて設けられている。排気筒６６の上端部には、平面視左右方向に長い略矩形状の開口部６６１が設けられている。開口部６６１は、天板３の後部に設けられた排気口部９の直下に配置される。グリル庫５００内の燃焼により生じた燃焼ガスは、後方に向かって流れ、排気筒６６を上方に流れる（図２中二点鎖線の矢印参照）。排気筒６６は、燃焼ガスを天板３の排気口部９に導く。
【００４８】
開口部６６１内には、フレームトラップ１７（図２，図３参照）が取り付けられる。フレームトラップ１７は、略直方体の板状に構成された消炎部材であり、例えばステンレス等からなるラス網等の２枚の多孔板の両端を曲げ加工し、それらを上下方向に向かい合わせて直方体の筒状に形成したものである。万が一、受皿４に溜まった油や被調理物から火炎が生じたとしても、その火炎は、排気筒６６の筒上方であって、燃焼ガスが流れる上流側に位置する下側の多孔板に接触して冷却される。さらに、各多孔板間には、燃焼ガスや被調理物から生じた炭酸ガスが滞留して酸素濃度が希薄になるため、火炎への酸素供給が滞る。こうした冷却効果及び酸欠効果により、フレームトラップ１７が排気筒６６内の内側にまで延びる火炎を消炎するので、天板３の排気口部９（図２参照）から火炎が溢れ出すのを防止できる。
【００４９】
図４，図６を参照し、遮熱板７０の構造を説明する。遮熱板７０は、金属板で形成され、平面視略矩形状、且つ正面視下側に開口する略コの字型に形成されている。遮熱板７０は、上壁部７１、右壁部７２、左壁部７３、右側固定部７４、左側固定部７５等を備え、グリルフード６０を上方から覆うことができる程度の大きさを備える。上壁部７１の上面には、振動防止部材４１がネジ９４で固定されている。振動防止部材４１は、上壁部７１に設けられた後述する開口部７６４（図６，図１０参照）を介して、グリルフード６０の上面に当接して下方に付勢することで、グリルバーナ６５におけるガス燃焼時において、共鳴音が発生するのを効果的に防止する。なお、振動防止部材４１の具体的構造については後述する。
【００５０】
上壁部７１は、平面部７６、傾斜部７７、周縁部７８を備える。平面部７６は、平面視略矩形状に形成され、前側の両角部はテーパ状に形成されている。傾斜部７７は、平面部７６の前縁部、右縁部、左縁部に沿って設けられ、平面視後ろ側に開口する略コの字型に形成されている。傾斜部７７は、外方に向かって下り傾斜している。周縁部７８は、傾斜部７７の下端部（外端部）に沿って設けられ、平面視後ろ側に開口する略コの字型に形成されている。周縁部７８は、傾斜部７７の下端部から外方に向かって略水平に延びている。
【００５１】
平面部７６は、ビード部７６１，７６２を備える。ビード部７６１は、平面部７６の前後方向の略中央位置にて、左右方向に延びる略帯状に形成されている。ビード部７６１は、平面部７６の左右の両端から傾斜部７７まで延びている。ビード部７６２は、平面部７６の後方位置にて、左右方向に延びる略帯状に形成されている。ビード部７６２は、平面部７６から左側に突出し、傾斜部７７まで延びている。ビード部７６１，７６２は、例えば平面部７６を反対側からプレス加工することで形成される。ビード部７６１，７６２は、平面部７６と傾斜部７７の剛性を向上する。
【００５２】
平面部７６の前側半分の領域の略中央部には、開口部７６４が設けられている。開口部７６４は、平面視左右方向に長い略矩形状に形成されている。開口部７６４には、振動防止部材４１の後述するＬ字状部４５が上方から挿入される。開口部７６４の右斜め後方と左斜め後方には、一対の爪用スリット７６５，７６６が左右方向に離間して設けられている。爪用スリット７６５，７６６は左右方向に長い細孔である。爪用スリット７６５，７６６には、振動防止部材４１の後述する右側引掛部４６と左側引掛部４７が上方から夫々挿入される。開口部７６４の前方には、上下方向に貫通する固定孔７６３（図７参照）が設けられている。固定孔７６３には、振動防止部材４１の後述する固定部４３を上壁部７１の上面に固定する為のネジ９４が締結される（図９参照）。
【００５３】
周縁部７８の右側部の上面には、位置決め部７８１が設けられている。位置決め部７８１には、バーナ取付台２６の左端部が位置決めされる。周縁部７８の左側部の上面には、位置決め部７８２が設けられている。位置決め部７８２には、バーナ取付台２７の右端部が位置決めされる。周縁部７８の前端部には、ビード部７８３が設けられている。ビード部７８３は、左右方向に延びる略帯状に形成されている。ビード部７８３は、例えば周縁部７８を反対側からプレス加工することで形成される。ビード部７８３は、周縁部７８の前端側の剛性を向上する。
【００５４】
右側固定部７４の長手方向略中央部には、上下方向に貫通する円形状の固定孔７４１が設けられている。右側固定部７４は、グリルフード６０の右縁部６２の上面に当接し、固定孔７４１が右縁部６２に設けられた固定孔６２１に位置決めされる。左側固定部７５の長手方向略中央部にも、上下方向に貫通する円形状の固定孔７５１（図６参照）が設けられている。左側固定部７５は、グリルフード６０の左縁部６３の上面に当接し、固定孔７５１が左縁部６３に設けられた固定孔６３１に位置決めされる。
【００５５】
そして、図４に示すように、ユニット本体部５０の右壁部５１の上面部５１１に対して、ダクト部８０の上部に設けられた固定片部８１と、グリルフード６０の右縁部６２と、遮熱板７０の右側固定部７４とを上下方向に重ねて位置決めし、ネジ９１で上方から共締め固定する。他方、ユニット本体部５０の左壁部５２の上面部５２１に対しても、ダクト部８０の上部に設けられた固定片部８１と、グリルフード６０の左縁部６３と、遮熱板７０の左側固定部７５とを上下方向に重ねて位置決めし、ネジ９２で上方から共締め固定する。これにより、ユニット本体部５０、ダクト部８０、グリルフード６０、遮熱板７０を一度に組み付けることができる。
【００５６】
図６に示すように、遮熱板７０の後方右側角部には、略Ｌ字状の切欠き部７２１が設けられている。切欠き部７２１は、遮熱板７０をグリルフード６０の上方に取り付ける際に、グリルバーナ６５のスロート部６５１に対して上方から覆い被さるようにして配置される。左壁部７３及び左側固定部７５の後端側にも、略矩形状の切欠き部７３１が設けられている。切欠き部７３１は、遮熱板７０をグリルフード６０の上側に取り付ける際に、図５に示す熱電対６７、点火電極６８、及び固定部材６９付近に対して上方から覆い被さるようにして配置される。これにより、遮熱板７０は、グリルフード６０の上面を覆うことができる。また、上壁部７１の周縁部７８、右壁部７２、左壁部７３には、複数の流通孔７１０が夫々設けられている。複数の流通孔７１０は、遮熱板７０とグリルフード６０の間の空間に対して、筐体２内の空気を流通させる。これにより、グリルフード６０の放熱を促進する。
【００５７】
図７，図８を参照し、振動防止部材４１の構造を説明する。振動防止部材４１は、例えば腐食防止用のコーティングが施された一枚の板金を加工して形成される板金加工品である。振動防止部材４１は、本体部４２を備える。本体部４２は、平面視略矩形状に形成され、面方向を上下方向に向けて配置される。本体部４２は、前端部４２１と後端部４２２を備える。前端部４２１の長さ方向の中央部には、前方に突出する固定部４３が設けられている。固定部４３は、平面視略矩形状に形成されている。固定部４３の略中央部には、固定孔４３１が設けられている。
【００５８】
本体部４２の後端部４２２側には、平面視略矩形状の開口部４４が設けられている。開口部４４の内縁部のうち、前側に位置する前側縁部４４Ａには、Ｌ字状部４５が下方に突出して設けられている。Ｌ字状部４５は、側面視略Ｌ字状に形成され、挿通部４５１と当接部４５２を備える。挿通部４５１は、前側縁部４４Ａから下方に突出し、正面視横長の略矩形状に形成されている。当接部４５２は、挿通部４５１の下端部から後方に向けて略直角に屈曲され、平面視横長の略矩形状に形成されている。当接部４５２の先端側の両角部は円弧状に加工されている。当接部４５２の下面の略中央部には、下方に略半球状に突出する突出部４５３（図８参照）が設けられている。
【００５９】
本体部４２の後端部４２２の右端部には、右側引掛部４６が下方に突出して設けられ、左端部には、左側引掛部４７が下方に突出して設けられている。右側引掛部４６と左側引掛部４７は、何れも側面視略Ｌ字状に形成されている。右側引掛部４６は、遊挿部４６１と爪部４６２を備える。遊挿部４６１は、後端部４２２の右端部から下方に延び、正面視略矩形状に形成されている。爪部４６２は、後端部４２２の下端部から後方に向けて略直角に屈曲され、平面視略矩形状に形成されている。左側引掛部４７は、右側引掛部４６と同様に、遊挿部４７１と爪部４７２を備える。遊挿部４７１は、後端部４２２の左端部から下方に延び、正面視略矩形状に形成されている。爪部４７２は、後端部４２２の下端部から後方に向けて略直角に屈曲され、平面視略矩形状に形成されている。爪部４６２，４７２の夫々の先端側の両角部は、円弧状に加工されている。右側引掛部４６の遊挿部４６１と、左側引掛部４７の遊挿部４７１は互いに同一長さであり、Ｌ字状部４５の挿通部４５１よりも短い。
【００６０】
図７〜図１０を参照し、遮熱板７０への振動防止部材４１の組付方法を説明する。振動防止部材４１は、遮熱板７０の上壁部７１の上面に対して上側から組み付ける。具体的には、図６に示すように、遮熱板７０の上壁部７１に設けられた右側の爪用スリット７６５に対して上方から、振動防止部材４１の右側引掛部４６を爪部４６２から挿入し、爪用スリット７６５に遊挿部４６１を遊挿させる。他方、遮熱板７０の上壁部７１に設けられた左側の爪用スリット７６６に対して上方から、振動防止部材４１の左側引掛部４７を爪部４７２から挿入し、爪用スリット７６６に遊挿部４７１を遊挿させる。遮熱板７０の上壁部７１に設けられた開口部７６４に対して上方から、振動防止部材４１のＬ字状部４５を当接部４５２から挿入し、開口部７６４に挿通部４５１を挿通させる。振動防止部材４１の本体部４２は、遮熱板７０の上壁部７１の上面に配置する。そして、図９に示すように、振動防止部材４１の固定部４３に設けられた固定孔４３１を、遮熱板７０の上壁部７１に設けられた固定孔７６８に位置決めし、ネジ９４を上方から締結する。これにより、振動防止部材４１が、遮熱板７０の上壁部７１の上面に組み付けられる。
【００６１】
図９，図１０に示すように、振動防止部材４１が、遮熱板７０の上壁部７１の上面に組み付けられた状態では、開口部７６４からＬ字状部４５が下方に突出し、爪用スリット７６５から右側引掛部４６が下方に突出し、爪用スリット７６６から左側引掛部４７が下方に突出している。右側引掛部４６の爪部４６２の上面と、遮熱板７０の上壁部７１の下面とは離間している。左側引掛部４７の爪部４７２の上面と、遮熱板７０の上壁部７１の下面とは離間している。Ｌ字状部４５の当接部４５２の方が、右側引掛部４６の爪部４６２、左側引掛部４７の爪部４７２よりも下方に位置している。
【００６２】
図４を参照し、グリルフード６０への遮熱板７０の固定方法と、振動防止部材４１による付勢力発生の仕組みを説明する。先ず、グリルフード６０の上面を覆うようにして、遮熱板７０を上方から取り付ける。このとき、遮熱板７０の右側固定部７４と左側固定部７５が、グリルフード６０の右縁部６２と左縁部６３の夫々の上面に接触する前に、振動防止部材４１のＬ字状部４５の当接部４５２の下面が、グリルフード６０のフード本体部６１の上面の前側に当接する。この状態のまま、遮熱板７０をグリルフード６０側に押し付けることによって、振動防止部材４１のＬ字状部４５が上方に押し上げられ、固定部４３を起点として本体部４２が撓む（図１１参照）。
【００６３】
次いで、遮熱板７０の右側固定部７４と左側固定部７５を、グリルフード６０の右縁部６２と左縁部６３の夫々の上面に位置決めする。右側固定部７４の固定孔７４１が、右縁部６２の固定孔６２１に位置決めされるので、ネジ９１を締結することで、右側固定部７４が右縁部６２に固定される。他方、左側固定部７５の固定孔７５１（図６参照）が、左縁部６３の固定孔６３１に位置決めされるので、ネジ９２を締結することで、左側固定部７５が左縁部６３に固定される。これにより、遮熱板７０がグリルフード６０の上方に隙間を空けた状態で取り付けられる。この状態では、振動防止部材４１は撓んだ状態で、グリルフード６０のフード本体部６１の上面の前側に当接している。これにより、振動防止部材４１に対して、グリルフード６０の上面を下方に押し付ける付勢力を発生させることができる。
【００６４】
そして、振動防止部材４１は、固定部４３のみで遮熱板７０の上壁部７１にネジ９４で固定されているので、Ｌ字状部４５、及び本体部４２の後端部４２２側の一部は、上壁部７１に対して固定されないフリーな状態となっている。これにより、遮熱板７０をグリルフード６０に取り付ける際、Ｌ字状部４５、及び本体部４２の後端部４２２側の一部を上方向に逃がすことができる。これにより、強い力で遮熱板７０を押える必要が無くなるので、コンロ１の生産性を向上できる。さらに、振動防止部材４１は遮熱板７０の上側から固定されるので、例えば、振動防止部材４１の位置調整、交換等を行う際に、グリルフード６０に遮熱板７０を固定したままで、作業を行うことができる。よって、振動防止部材４１の位置調整、交換等が非常に容易である。
【００６５】
また、本実施形態では、振動防止部材４１の右側引掛部４６と左側引掛部４７が、遮熱板７０の上壁部７１に設けられた爪用スリット７６５，７６６に差し込まれている。これにより、振動防止部材４１を遮熱板７０に先に組み付けてから、グリルフード６０に固定する場合において、振動防止部材４１が遮熱板７０から離れようとしても、右側引掛部４６と左側引掛部４７の夫々の爪部４６２，４７２が、遮熱板７０の下面に係止するので、振動防止部材４１が遮熱板７０の組付位置から外れることが無い。よって、コンロ１の生産性を向上できる。また、右側引掛部４６と左側引掛部４７は、夫々の遊挿部４６１，４７１が爪用スリット７６５，７６６に対して上下方向に遊挿されているので、遮熱板７０をグリルフード６０に固定する際、Ｌ字状部４５、及び本体部４２の後端部４２２側の一部と同様に、右側引掛部４６と左側引掛部４７も上方向に逃がすことができる。従って、遮熱板７０をグリルフード６０に固定する際の作業性が損なわれることが無い。
【００６６】
図４，図５を参照し、グリルフード６０の上面における振動防止部材４１の付勢位置と、共鳴音防止効果について説明する。図５に示すように、振動防止部材４１のＬ字状部４５の当接部４５２（図８参照）は、グリルフード６０の上壁部７１の上面において、グリルバーナ６５の絞り部６５５の右前方部６５５１と左前方部６５５２の間に挟まれた部位であって、絞り部６５５に対して平面視略三角形状に陥入する三角状部６１８の上面に当接している（図５では、当接部４５２の当接位置を二点鎖線で示す）。三角状部６１８は、グリルフード６０のフード本体部６１の上面のうち前側部分であって、炎孔部６５４Ａの近傍に位置し、ガスが一時的に滞留する部分である。
【００６７】
上記の通り、本実施形態のグリルバーナ６５は、スロート部６５１の内部にガスが噴出されると共に、燃焼用二次空気が引き込まれて管内で混合され、炎孔部６５４Ａ〜６５４Ｃからガスと燃焼用二次空気の混合ガスを噴出して燃焼させる構成を採用している。それ故、グリルバーナ６５におけるガス燃焼時において、気温によっては、ガス等の流通に伴い、炎孔部６５４Ａ〜６５４Ｃの各炎孔において火炎が揺らぎ振動を生じることがある。特に、グリルバーナ６５の点火初期においては、グリルバーナ６５のうち、特に前側部分ではドラフト力が起きにくい。それ故、特に炎孔部６５４Ａにおいては、燃焼用二次空気が不足することによって、火炎が揺らぐことから振動を生じ易い状態となる。そのような炎孔部６５４Ａに近い三角状部６１８を、振動防止部材４１の弾性力で押え付けることによって、振動の周波数を振動防止部材４１及び遮熱板７０によって効果的に分散できるので、共鳴音の発生を効果的に防止できる。
【００６８】
ところで、振動防止部材４１は、腐食防止用のコーティングがされた板金を加工してなる板金加工品であるので、当接部４５２の左右の両端面は、加工による切断面である場合がある。それ故、当接部４５２の下面はコーティングされているが、当接部４５２の左右の両端面は、コーティングされていないことが想定される。本実施形態では、当接部４５２の左右両端を除く中央部が三角状部６１８の上面に当接し、当接部４５２の左右の両端は、絞り部６５５の右前方部６５５１と左前方部６５５２の夫々の内側（詳細には、絞り部６５５の外縁部に沿って形成されたテーパ面の外縁よりも内側であればよい。）に夫々配置されるようになっている。これにより、当接部４５２の左右の両端面が切断面であっても、フード本体部６１の上面とは接触しないので、フード本体部６１の上面の腐食を防止できる。
【００６９】
また、当接部４５２の下面には、略半球状の突出部４５３が設けられているので、突出部４５３が三角状部６１８の上面と点接触する。これにより、仮に遮熱板７０に対する振動防止部材４１の組み付け位置がずれた場合でも、面接触に比べて、当接部４５２を三角状部６１８の上面に確実に接触させることができる。
【００７０】
以上説明において、振動防止部材４１が本発明の「当接部材」の一例である。グリルフード６０のフード本体部６１が本発明の「グリル庫の上壁部」の一例である。遮熱板７０に設けられた開口部７６４が本発明の「第一開口部」の一例である。爪用スリット７６５，７６６が本発明の「第二開口部」の一例である。グリルバーナ６５のガス供給部６５４が本発明の「供給部」の一例である。グリルフード６０の上面に形成された三角状部６１８が本発明の「陥入部」の一例である。
【００７１】
以上説明したように、本実施形態のコンロ１は、筐体２、天板３、グリル庫５００、遮熱板７０等を備える。グリル庫５００は、筐体２内に取り付けられる。グリル庫５００は、ユニット本体部５０とグリルフード６０を備える。グリルフード６０は、グリルバーナ６５を備える。遮熱板７０は、グリルフード６０の上側を覆うように設けられる。遮熱板７０は、グリルバーナ６５から伝わる熱を遮断することで、天板３の温度が過度に上昇するのを防止する。遮熱板７０には、グリルフード６０の上面に当接して付勢する為の振動防止部材４１が上側から組み付けられる。振動防止部材４１は、本体部４２、固定部４３、Ｌ字状部４５等を備える。本体部４２は板状に形成され、遮熱板７０の上面に配置される。固定部４３は、本体部４２に設けられ、遮熱板７０に対して上方向からネジ９４で固定される。Ｌ字状部４５は、挿通部４５１と当接部４５２を備える。挿通部４５１は、本体部４２における固定部４３とは離間する位置に設けられ、下方向に延び、且つ遮熱板７０に設けられた開口部７６４を上下方向に挿通する。当接部４５２は、挿通部４５１の下端部に設けられ、グリルフード６０の上面に当接する。
【００７２】
グリル庫５００の燃焼用の二次空気が不足すると、グリルバーナ６５に形成される火炎が揺らぎ、その周囲に振動が生じる。共鳴音はその振動に起因する。振動防止部材４１の当接部４５２をグリルフード６０の上面に当接させることによって、振動の周波数を効果的に分散できる。そして、振動防止部材４１は遮熱板７０の上側から固定されるので、振動防止部材４１の位置調整、交換等が非常に容易である。また、振動防止部材４１は固定部４３のみで固定されているので、挿通部４５１と当接部４５２はフリーな状態となっている。これにより、遮熱板７０の組み付けの際、挿通部４５１、当接部４５２、及び本体部４２の一部を上方向に逃すことができるので、強い力で遮熱板７０を抑える必要が無くなる。よって、本実施形態は、コンロ１の生産性を向上できる。
【００７３】
なお、本発明は上記実施形態に限定されるものではなく、種々の変更が可能である。例えば、上記実施形態のコンロ１はグリル付きテーブルコンロであるが、ビルトインタイプのコンロであってもよい。また、コンロ１は、右コンロバーナ５と左コンロバーナ６の２つのコンロバーナを備えるが、コンロバーナの数は２つに限らず、１つでもよく、３つ以上であってもよい。
【００７４】
また、上記実施形態の振動防止部材４１は、右側引掛部４６と左側引掛部４７を備えるが、何れか一方のみでもよく、何れも省略してもよい。右側引掛部４６と左側引掛部４７を省略する場合、例えば本体部４２の後端部４２２にＬ字状部４５を設け、開口部４４を省略してもよい。
【００７５】
また、上記実施形態の振動防止部材４１において、Ｌ字状部４５、右側引掛部４６、左側引掛部４７の夫々の形状はＬ字状に限らず、それ以外の形状であってもよい。
【００７６】
また、上記実施形態の遮熱板７０は、上面に一つの振動防止部材４１を固定しているが、複数の振動防止部材４１を固定してもよい。また、振動防止部材４１の当接部４５２は、グリルフード６０の上面であれば何処に接触していてもよく、好ましくは、グリルフード６０の上面のうち前側に当接させるのがよい。
【００７７】
また、上記実施形態の振動防止部材４１は、板金加工品であるが、複数枚の板金を溶接する等して作製してもよい。
【００７８】
また、上記実施形態のグリルバーナ６５は、グリルフード６０の下面に、底面視略コの字型の炎孔部６５４Ａ〜６５４Ｃを備えるが、炎孔部６５４Ａ〜６５４Ｃの配置形状については、上記実施形態に限定されない。
【００７９】
また、上記実施形態において、ユニット本体部５０、グリルフード６０、遮熱板７０等に設けられる固定孔の数、位置等については、自由に変更可能である。
【符号の説明】
【００８０】
１      コンロ
２      筐体
３      天板
４１      振動防止部材
４２      本体部
４３      固定部
６０      グリルフード
６１      フード本体部
６５      グリルバーナ
７０      遮熱板
９４      ネジ
４５１      挿通部
４５２      当接部
４５３      突出部
４６１      遊挿部
４６２      爪部
４７１      遊挿部
４７２      爪部
５００      グリル庫
６１８      三角状部
６５１      スロート部
６５３      噴出部
６５４      ガス供給部
６５４Ａ    炎孔部
６５４Ｂ    炎孔部
６５４Ｃ    炎孔部
６５５      絞り部
７６５      爪用スリット
７６６      爪用スリット
６５５１      右前方部
６５５２      左前方部
【図１】
0006692544.tif 000002
【図２】
0006692544.tif 000003
【図３】
0006692544.tif 000004
【図４】
0006692544.tif 000005
【図５】
0006692544.tif 000006
【図６】
0006692544.tif 000007
【図７】
0006692544.tif 000008
【図８】
0006692544.tif 000009
【図９】
0006692544.tif 000010
【図１０】
0006692544.tif 000011
【図１１】
0006692544.tif 000012